(57)【特許請求の範囲】
【請求項１】
新規の塔の外殻体を既存の塔を取り囲むように幾段にも分けて順次構築し、建造中の前記外殻体の上部を既存の塔に設置した複数のアナログ放送用のアンテナの移設に適した高さに到達させた複数の段階において、既存のアナログ放送用のアンテナを構築中の外殻体に順次移設し、所定の高さの外殻体を構築してから、外殻体の上端に錐状又は柱状の塔状体を構築し、前記塔状体に新規のデジタル放送用のアンテナを設置するとともに、新規の塔の構築中に既存の塔が不要になった時点又は新規の塔の完成後に、既存の塔を解体して撤去する塔の改築方法において、第１段外殻体を既存の塔に設置した最下段のアナログ放送用のアンテナの設置部より所定の高さだけ低い高さに到達するまで構築した後、既存の塔のアナログ放送用のアンテナの設置部より下方の部分を構築した第１段外殻体の上部に連結して、既存の塔をその第１段外殻体に連結した部分よりも下方の部分で切断して分離し、第１段外殻体を所定の高さだけ上昇させて該外殻体に連結した既存の塔の既存のアナログ放送用のアンテナの設置部を所定の高さだけ上昇させ、第１段外殻体の下端に第２段外殻体を継ぎ足し、第２段外殻体の下部を新設の基礎に連結し、既存の塔の最下段の既存のアナログ放送用のアンテナを該アンテナの改築前の設置高さと略同高の第１段外殻体の部分に移設し、次ぎに第１段外殻体上に、既存の塔の未移設の既存のアナログ放送用のアンテナの設置部の下方の部分を取り囲むように、所定の高さの第３段外殻体を構築し、この第３段外殻体に既存の塔の既存のアナログ放送用のアンテナの最下段のものより一つ上の段の既存のアナログ放送用のアンテナを該アンテナの改築前の設置高さと略同高の第３段外殻体の部分に移設し、第３段外殻体の上端に上記と同様のやり方にて第４段以降の外殻体を順次構築し、かつ既存の塔の未移設の既存のアナログ放送用のアンテナを該アンテナの改築前の設置高さと略同高の第４段以降の外殻体の部分に移設し、既存の塔に未移設のアナログ放送用のアンテナがある段階においては、前記の取り囲むように構築する新規の塔の最も上の外殻体の高さを、前記未移設の既存のアナログ放送用のアンテナにより送受信される電波を妨害しない高さにしなから、外殻体を所望の高さに構築した後、この外殻体上に錐状又は柱状の塔状体を構築し、前記塔状体に新規のデジタル放送用のアンテナを設置することを特徴とする塔の改築方法。
【請求項２】
新規の塔の外殻体を既存の塔を取り囲むように幾段にも分けて順次構築し、建造中の外殻体の上部を既存の塔に設置した複数のアナログ放送用のアンテナの移設に適した高さに到達させた複数の段階において、既存のアナログ放送用のアンテナを構築中の外殻体に順次移設し、所定の高さの外殻体を構築してから、外殻体の上端に錐状又は柱状の塔状体を構築し、前記塔状体に新規のデジタル放送用のアンテナを設置するとともに、新規の塔の構築中に既存の塔が不要になった時点又は新規の塔の完成後に、既存の塔を解体して撤去する塔の改築方法において、下部室用外殻体とこの下側に連結した支持用外殻体とからなる第１段外殻体を既存の塔に設置した最下段のアナログ放送用のアンテナの設置部より所定の高さだけ低い高さに構築した後、既存の塔の既存のアナログ放送用のアンテナの設置部より下方の部分を構築した第１段外殻体の下部室用外殻体に連結して、既存の塔を第１段外殻体の下部室用外殻体に連結した部分よりも下方の部分で切断して分離し、第１段外殻体を所定の高さだけ上昇させ、第１段外殻体の支持用殻体の下端に第２段支持用外殻体を継ぎ足し、第２支持用段外殻体の下部を新設の基礎に連結し、第１段外殻体に連結した既存の塔の既存のアナログ放送用のアンテナの設置部を所定の高さだけ上昇させた位置に支持し、既存の塔の既存のアナログ放送用のアンテナの最下段のアナログ放送用のアンテナを該アンテナの改築前の設置高さと略同高の第１段外殻体に移設し、次ぎに第１段外殻体の下部室用外殻体上に、既存の塔の既存のアナログ放送用のアンテナの設置部の下方の部分を取り囲むように、上部室用外殻体とこの下側に連結した支持用外殻体とからなる所定の高さの第３段外殻体を構築し、既存の塔の既存のアナログ放送用のアンテナの最下段のものより一つ上の段のアナログ放送用のアンテナを該アンテナの改築前の設置高さと略同高の第３段外殻体の支持用外殻体に移設し、第３段外殻体の上部室用外殻体を所定の高さだけ上昇させ、この上部室用外殻体と第３段外殻体の支持用外殻体との間に第４段支持用外殻体を継ぎ足し、既存の塔の既存のアナログ放送用のアンテナの最下段のものより二つ上の段のアナログ放送用のアンテナを該アンテナの改築前の設置高さと略同高の第４段支持用外殻体に移設し、上記と同様のやり方にて第５段以降の支持用外殻体を構築し、既存の塔に未移設のアナログ放送用のアンテナがある段階においては、構築中の新規の塔の前記上部室用外殻体の高さを、前記未移設の既存のアナログ放送用のアンテナにより送受信される電波を妨害しない高さにしなから、外殻体を所望の高さにした後、この外殻体の上部室用外殻体上に錐状又は柱状の塔状体を構築し、前記塔状体に新規のデジタル放送用のアンテナを設置することを特徴とする塔体の改築方法。
【発明の詳細な説明】
【０００１】
【発明の属する技術分野】
この発明は、塔の改築方法、特に、その上部に複数の送信用のアンテナを設置した既存の塔の周囲に新規の塔の外殻体を構築する塔の改築方法に関する。
【０００２】
【従来の技術】
従来の塔状タワーの構築方法には、例えば、次ぎの（１）〜（３）のものがある。
（１）建屋の屋上に設置する鉄塔の構築方法において、鉄塔の設置位置の直下に位置させて建築中の建屋内に鉄塔組立用の空間を設け、この空間内で鉄塔を組み立て、この組み立てた鉄塔を、その上部が建屋の屋上から上方へ向かって突出するように、ジャッキ等を用いて引き上げ又は押し上げて、前記鉄塔の下部を前記空間に差し込んだ状態にて建屋に固定する鉄塔の構築方法（例えば、特開平１０−８８８６１号公報参照）。
（２）ジャッキ及び該ジャッキと吊り上げ対象物とをつなぐ吊材を使用するリフトアップ工法による構築物の頂上に鉄塔を設置する構築方法において、構築物内の鉛直方向に延びる空間内で鉄塔を組み立て、吊材の上部をジャッキを介して構築物の上部につなぎ、前記吊材の吊点である下部を鉄塔の下部につなぎ、かつ鉄塔の下方にバランスウエイト用部材を吊り下げて、構築物内の所定位置からその頂部までの間の鉄塔の上昇を前記吊点より下方に鉄塔の重心を位置させて、前記鉄塔をその上部が構築物の頂部から上方へ向かって突出するように、ジャッキ及び吊材にてリフトアップし、リフトアップした鉄塔の下部を前記空間に差し込んだ状態にて構築物に固定する鉄塔の構築方法（例えば、特開平６−４５９７７号公報参照）。
（３）既設鉄塔の腕金に架した架線の下側に配設された鉄塔基礎脚部上に所定高さのガイドタワーを立設し、単位塔体を抱持し得る上部ガイドリングと下部ガイドリングとがガイドタワー内に上下動するように設けられ、ガイドタワーの下部内に搬入した単位塔体を上位の単位塔体に接続した後、前記上部及び下部ガイドリングにより単位塔体を抱持して迫り上げ、搬入、接続及び迫り上げを順次繰り返して鉄塔を地上付近において上部から下部へと構築するとともに、鉄塔の上部の腕金取付部がガイドタワーの頂部を通過した時点で、腕金をこれが既設架線と平行となるように腕金取付部に取付け、鉄塔が所定高さに到達した時点で、鉄塔をその腕金が既設架線と直交するように旋回させ、鉄塔の下部を鉄塔基礎脚部に固定した後、ガイドタワーを解体して撤去する鉄塔の迫り上げ構築方法（例えば、特公平２−１３１１５号公報参照）。
【０００３】
【発明が解決しようとする課題】
放送・通信のデジタル化への急速な動きの中、各地でアンテナ塔（電波塔）のリニューアル計画が浮上している。電波のデジタル化には、新たなアンテナと送受信設備がいる。また、一般ユーザーの電波利用機（電話・テレビ・ラジオ・パソコン等）のデジタル対応化の普及にはある程度の歳月がかかる。こうした理由から、アナログからデジタルへの切り替えを同時に行なうことはできず、両者の送受信の併用期間が少なからず必要となる。
アンテナ塔による地上波送受信では、広範囲な利用を可能とするため、高さの大きい塔が必要となる。そのため、デジタルアンテナ塔をアナログアンテナ塔と別の敷地に新たに建設すると、両者が近接している場合には互いに反射及び遮蔽による大きな電波障害が生じる。また、デジタルアンテナ塔を現在のアナログアンテナ塔から離れた遠隔地に建設した場合、現在の一般建物による電波障害地域と異なる新たな地域で電波障害対策が必要であるとともに、放送局・通信局からアンテナ塔への新たな送信経路が必要となる。
こうしたことから、社会的経済性からもデジタル化には、現在のアンテナ塔のリニューアルが最善の方法であり、現在のアンテナ塔の機能を損なわずに、新たなデジタルアンテナ設備を備え得るアンテナ塔を構築する工法の確立が急がれている。
【０００４】
デジタル化に伴うアンテナ塔のリニューアルは我が国では初めての試みであり、アンテナ塔のリニューアルに関する既存の構築技術は存在しないものと考えられる。米国及び英国で昨年デジタル化が開始されたが、両国とも建物の密集度或いはケーブルの普及度において、我が国に比べ上記の問題は極めて軽微であると予想され、米国及び英国でも、アンテナ塔のリニューアルが技術として確立されていない。
これまでの幾つかの提案では、既存のアナログ関連設備の移動が困難なことから、現状のアンテナ塔の未使用部分に新規のアンテナを設置し、送受信機等の設備室は近接して新築するか、既存の塔を補強してスペースを設ける方法が挙げられていた。しかし、新たにデジタルアンテナを設置可能な空きスペースは、一般的に限られており、高性能のアンテナが必要であるうえに、同一レベルにおける複数局のアンテナの配置となるため、相互の電波干渉も懸念される。さらに、新設のアンテナは既存のアンテナより、低い位置となるため、利用範囲が現在より狭くなってしまう欠点がある。
【０００５】
前記（１）の鉄塔の構築方法は、建屋の屋上に設置する鉄塔の設置位置の直下に位置させて建築中の建屋内に鉄塔組立用の空間を設け、この空間内で鉄塔を組み立て、この組み立てた鉄塔を、その上部が建屋の屋上から上方へ突出するように、ジャッキ等を用いて引き上げ又は押し上げて、鉄塔の下部を前記空間に差し込んだ状態にて建屋に固定するものであるため、建屋の屋上に新規な塔を構築する場合にのみ採用できるものであり、その上部に複数の送受信用のアンテナを設置した既存のアンテナ塔の周囲に、これを取り囲むように新規の塔の外殻体を構築し、この外殻体上に塔状体を構築する塔の改築に適用できないものである。
前記（２）の鉄塔の構築のためのリフトアップ工法は、構築物内の鉛直方向に延びる空間内で鉄塔を組み立て、吊材の上部をジャッキを介して構築物の上部につなぎ、前記吊材の吊点である下部を鉄塔の下部につなぎ、かつ鉄塔の下方にバランスウエイト用部材を吊り下げて、構築物内の所定位置からその頂部までの間の鉄塔の上昇を前記吊点より下方に鉄塔の重心を位置させて、前記鉄塔をその上部が構築物の頂部から上方へ突出するように、ジャッキ及び吊材にてリフトアップし、リフトアップした鉄塔の下部を前記空間に差し込んだ状態にて構築物に固定するものであるため、構築物上に新規の鉄塔を構築する場合にのみ採用できるものであり、その上部に複数の送受信用のアンテナを設置した既存のアンテナ塔の周囲に、これを取り囲むように新規の塔の外殻体を幾段にも分けて構築し、この外殻体上に塔状体を構築する塔の改築に適用できないものである。
【０００６】
前記（３）の鉄塔の迫り上げ構築方法は、既設鉄塔の腕金に架した架線の下側に配設された鉄塔基礎脚部上に所定高さのガイドタワーを立設し、単位塔体を抱持し得る上部ガイドリングと下部ガイドリングとがガイドタワー内に上下動するように設けられ、ガイドタワーの下部内に搬入した単位塔体を上位の単位塔体に接続した後、前記上部及び下部ガイドリングにより単位塔体を抱持して迫り上げ、搬入、接続及び迫り上げを順次繰り返して鉄塔を地上付近において上部から下部へと構築するとともに、鉄塔の上部の腕金取付部がガイドタワーの頂部を通過した時点で、腕金をこれが既設架線と平行となるように腕金取付部に取付け、鉄塔が所定高さに到達した時点で、鉄塔をその腕金が既設架線と直交するように旋回させ、鉄塔の下部を鉄塔基礎脚部に固定した後、ガイドタワーを解体して撤去するものであるため、既設の鉄塔の腕金間に架した架線を支持するための架線支持用の鉄塔を構築する場合にのみ採用できるものであり、その上部に複数の送受信用のアンテナを設置した既存のアンテナ塔の周囲に、これを取り囲むように新規の塔の外殻体を幾段にも分けて構築し、この外殻体上に塔状体を構築する塔の改築に適用できないものである。
この発明の解決しようとする課題は、上述の従来技術が有していた欠点を有していない塔の改築方法を提供すること、換言すると、既存の塔に設置した既存のアナログ放送用のアンテナを使用しつつ、既存の塔の周囲に既存のアナログ放送用のアンテナによる送受信の電波障害を防止しながらデジタル放送用のアンテナが設置できる新規の塔を構築する塔の改築方法を提供することにある。
【０００７】
【課題を解決するための手段】
この発明の塔の改築方法は、新規の塔の外殻体を既存の塔を取り囲むように幾段にも分けて順次構築し、建造中の前記外殻体の上部を既存の塔に設置した複数のアナログ放送用のアンテナの移設に適した高さに到達させた複数の段階において、既存のアナログ放送用のアンテナを構築中の外殻体に順次移設し、所定の高さの外殻体を構築してから、外殻体の上端に錐状又は柱状の塔状体を構築し、前記塔状体に新規のデジタル放送用のアンテナを設置するとともに、新規の塔の構築中に既存の塔が不要になった時点又は新規の塔の完成後に、既存の塔を解体して撤去する塔の改築方法において、第１段外殻体を既存の塔に設置した最下段のアナログ放送用のアンテナの設置部より所定の高さだけ低い高さに到達するまで構築した後、既存の塔のアナログ放送用のアンテナの設置部より下方の部分を構築した第１段外殻体の上部に連結して、既存の塔をその第１段外殻体に連結した部分よりも下方の部分で切断して分離し、第１段外殻体を所定の高さだけ上昇させて該外殻体に連結した既存の塔の既存のアナログ放送用のアンテナの設置部を所定の高さだけ上昇させ、第１段外殻体の下端に第２段外殻体を継ぎ足し、第２段外殻体の下部を新設の基礎に連結し、既存の塔の最下段の既存のアナログ放送用のアンテナを該アンテナの改築前の設置高さと略同高の第１段外殻体の部分に移設し、次ぎに第１段外殻体上に、既存の塔の未移設の既存のアナログ放送用のアンテナの設置部の下方の部分を取り囲むように、所定の高さの第３段外殻体を構築し、この第３段外殻体に既存の塔の既存のアナログ放送用のアンテナの最下段のものより一つ上の段の既存のアナログ放送用のアンテナを該アンテナの改築前の設置高さと略同高の第３段外殻体の部分に移設し、第３段外殻体の上端に上記と同様のやり方にて第４段以降の外殻体を順次構築し、かつ既存の塔の未移設の既存のアナログ放送用のアンテナを該アンテナの改築前の設置高さと略同高の第４段以降の外殻体の部分に移設し、既存の塔に未移設のアナログ放送用のアンテナがある段階においては、前記の取り囲むように構築する新規の塔の最も上の外殻体の高さを、前記未移設の既存のアナログ放送用のアンテナにより送受信される電波を妨害しない高さにしなから、外殻体を所望の高さに構築した後、この外殻体上に錐状又は柱状の塔状体を構築し、前記塔状体に新規のデジタル放送用のアンテナを設置することを特徴とするものである。0007
【０００８】
また、この発明の好ましい形態における塔の改築方法は、新規の塔の外殻体を既存の塔を取り囲むように幾段にも分けて順次構築し、建造中の外殻体の上部を既存の塔に設置した複数のアナログ放送用のアンテナの移設に適した高さに到達させた複数の段階において、既存のアナログ放送用のアンテナを構築中の外殻体に順次移設し、所定の高さの外殻体を構築してから、外殻体の上端に錐状又は柱状の塔状体を構築し、前記塔状体に新規のデジタル放送用のアンテナを設置するとともに、新規の塔の構築中に既存の塔が不要になった時点又は新規の塔の完成後に、既存の塔を解体して撤去する塔の改築方法において、下部室用外殻体とこの下側に連結した支持用外殻体とからなる第１段外殻体を既存の塔に設置した最下段のアナログ放送用のアンテナの設置部より所定の高さだけ低い高さに構築した後、既存の塔の既存のアナログ放送用のアンテナの設置部より下方の部分を構築した第１段外殻体の下部室用外殻体に連結して、既存の塔を第１段外殻体の下部室用外殻体に連結した部分よりも下方の部分で切断して分離し、第１段外殻体を所定の高さだけ上昇させ、第１段外殻体の支持用殻体の下端に第２段支持用外殻体を継ぎ足し、第２支持用段外殻体の下部を新設の基礎に連結し、第１段外殻体に連結した既存の塔の既存のアナログ放送用のアンテナの設置部を所定の高さだけ上昇させた位置に支持し、既存の塔の既存のアナログ放送用のアンテナの最下段のアナログ放送用のアンテナを該アンテナの改築前の設置高さと略同高の第１段外殻体に移設し、次ぎに第１段外殻体の下部室用外殻体上に、既存の塔の既存のアナログ放送用のアンテナの設置部の下方の部分を取り囲むように、上部室用外殻体とこの下側に連結した支持用外殻体とからなる所定の高さの第３段外殻体を構築し、既存の塔の既存のアナログ放送用のアンテナの最下段のものより一つ上の段のアナログ放送用のアンテナを該アンテナの改築前の設置高さと略同高の第３段外殻体の支持用外殻体に移設し、第３段外殻体の上部室用外殻体を所定の高さだけ上昇させ、この上部室用外殻体と第３段外殻体の支持用外殻体との間に第４段支持用外殻体を継ぎ足し、既存の塔の既存のアナログ放送用のアンテナの最下段のものより二つ上の段のアナログ放送用のアンテナを該アンテナの改築前の設置高さと略同高の第４段支持用外殻体に移設し、上記と同様のやり方にて第５段以降の支持用外殻体を構築し、既存の塔に未移設のアナログ放送用のアンテナがある段階においては、構築中の新規の塔の前記上部室用外殻体の高さを、前記未移設の既存のアナログ放送用のアンテナにより送受信される電波を妨害しない高さにしなから、外殻体を所望の高さにした後、この外殻体の上部室用外殻体上に錐状又は柱状の塔状体を構築し、前記塔状体に新規のデジタル放送用のアンテナを設置することを特徴とするものである。
【０００９】
また、好適な実施形態においては、次ぎの（Ａ）及び（Ｂ）のようにする。
（Ａ）既存の塔を取り囲むように順次構築する新規の塔の外殻体の建築中の最上段外殻体の高さを、既存の塔に設置されている既存のアナログ放送用のアンテナにより送受信される電波を妨害しない高さにする。
（Ｂ）下部室用外殻体内にアナログ放送のための送信設備等を設置し、上部室用外殻体内にデジタル放送のための送受設備等を設置する。
【００１０】
この発明における既存の塔は、鉄骨造、鉄骨鉄筋コンクリート造、鉄筋コンクリート造、又はこれらの組合せ造であり、この発明における新規の塔体の外殻体は、鉄骨造、鉄骨鉄筋コンクリート造、鉄筋コンクリート造、又はこれらの組合せ造とし、新規の塔体の錐状又は柱状の塔は、鉄骨造とする。
【００１１】
【作用】
この発明の塔の改築方法は、新規の塔の外殻体を既存の塔を取り囲むように順次構築し、建造中の外殻体の上部を既存の塔に設置されていたアナログ放送用のアンテナの移設に適した高さに到達された複数の段階において、既存の塔に設置した複数の既存のアナログ放送用のアンテナを構築中の外殻体に順次移設し、所望の高さの外殻体を構築した後、前記外殻体の上端に錐状又は柱状の塔状体を構築し、これに新規のデジタル放送用のアンテナを設置するから、既存の塔を取り囲むように新規のアンテナ塔の外殻体を構築することで、既存のアンテナ塔の耐久性、構造性能等にかかわりなく、新規の塔を構築できるだけでなく、既存の塔の周囲に少々の敷地があれば、新たな敷地の取得を必要としない。また、既存のアナログ放送用のアンテナによる放送を中断することなく、新規の塔を構築し、それに新規のデジタル放送用のアンテナを設置することができる。
【００１２】
【実施例】
実施例は、図１〜図８に示され、アナログ放送用のアンテナを設置した既存のアンテナ塔の周囲に新規のアンテナ塔の外殻体を構築し、既存のアナログ放送用のアンテナにてアナログ放送を行いつつ、構築中の新規のアンテナ塔の外殻体が所定の高さになったとき、その高さに対応する既存のアナログ放送用のアンテナを構築中の新規のアンテナ塔の外殻体に順次移設し、かつ新規のアンテナ塔の外殻体の上部に構築した塔状体に新規のデジタル放送用のアンテナを設置して、新規のデジタル放送用のアンテナによるデジタル放送を行なう場合に本願の発明を適用した例である。
既存のアンテナ塔１０は、図１に示すように、例えば、鉄骨造にて円錐形状に構成され、その下部の支持用下側部１１とその上部のアンテナ設置用上側部１２とを備えている。そのアンテナ設置用上側部１２には、上下方向及び周方向に間隔をおいて、複数の既存のアナログ放送用のアンテナ１３１〜１３３が設置されている。
【００１３】
まず、図２に示すように、既存のアンテナ塔１０の下部の周囲の外側に、支持用外殻体２１とこの支持用外殻体２１上の短筒状の下部室用外殻体２２とからなる第１段外殻体２０Ａを構築する。
第１段外殻体２１Ａは正面視が略台形に形成され、第１段外殻体２１Ａの成は、既存のアンテナ塔１０の支持用下側部１１の成と同じにするか、又はこれよりも少々低くなるようにする。すなわち、既存のアンテナ設置用上側部１２に設置したアナログ放送用のアンテナ１３１〜１３３によるアナログ放送の電波の送信を妨害しない程度の高さにする。
下部室用外殻体２２はその外径を支持用外殻体２１の上端の径以上にして支持用外殻体２１に結合して構成する。下側室用外殻体２２は新規の塔の各段の外殻体の建設中又は塔の完成後に放送室として使用し得るようにし、この放送室にはアナログ放送用の送信設備、受信設備等を設置する。
【００１４】
そして、既存のアンテナ塔１０の部分、例えば、アンテナ設置用上側部１２の下方の部分を新規のアンテナ塔１００の第１段外殻体２１Ａの下部室用外殻体２２に固着する。それから、既存のアンテナ塔１０の下側室用外殻体２２に固着した部分よりも下方の部分において、例えば、略水平な線にて既存のアンテナ塔１０を切断し、既存アンテナ塔１０の下方の部分を下部室用外殻体２２に固着した上方の部分から分離する。
それから、支持用外殻体２１と下部室用外殻体２２とからなる第１段外殻体２１Ａを、その下端に設置した適宜の押上手段等を用いて所定の高さＨ１だけ鉛直方向に押し上げて上昇させ、支持用外殻体２１の下端にこれと略同じ構成の第２段支持用外殻体２３を継ぎ足して、第２段支持用外殻体２３の下端を新規のアンテナ塔１００の基礎に連結して、所定の高さの下部外殻塔体２０を構築する。
【００１５】
既存のアンテナ塔１０のアンテナ設置用上側部１２は、図４に示すように、既存のアンテナ塔１０の下方の部分から切り離され、新規のアンテナ塔の下部外殻塔体２０と一緒に上方へ押し上げられて上昇している。アンテナ設置用上側部１２の最下段に設置した既存のアナログ放送用のアンテナ１３１を、この上側部分１２から外して、新規のアンテナ塔１００の下部外殻塔体２０の支持用外殻体２１の上部に設置（移設）する。
【００１６】
図５に示すように、下部外殻塔体２０の上部に取付けられた既存のアンテナ塔１０のアンテナ設置用上側部分１２の下部の周囲の外側の下部室用外殻体２２上に、第３段外殻体３０Ａとして、支持用外殻体３１とその上部の短筒状の上部室用外殻体３２とを構築する。
第３段外殻体３０Ａの支持用外殻体３１は、その下端が下部室用外殻体２２に固着され、支持用外殻体３１にこれに対して上下方向に移動可能に短筒状の上部室用外殻体３２を連結する。
第３段外殻体３０Ａは、新規のアンテナ塔の上部外殻塔体３０の一部を構成し、その上部室用外殻体３２はその外径を支持用外殻体３１の上端の径よりも大きくし、新規の塔の外殻体の構築中又は完成後に放送室として使用し得るようにして、この放送室にデジタル放送用の送信設備、受信設備等を設置する。
なお、支持用外殻体３１と上部室用外殻体３２とからなる第３段外殻体３０Ａの高さは、例えば、アンテナ設置用上側部１２に設置したアンテナ１３２及び１３３によるアナログ放送の送信を妨害しない程度の高さにする。
次に、アンテナ設置用上側部１２の中間に設置したアナログ放送用の既存のアンテナ１３２を、その上側部分１２から外して、新アンテナ塔の第３段外殻体３０Ａの支持用外殻体３１の外側に移設する。
【００１７】
図６に示すように、第３段外殻体の支持用外殻体３１と上部室用外殻体３２との間に適宜の押上手段等を配置し、この押上手段等を用いて、上部室用外殻体３２を所定の高さだけ鉛直方向に押し上げて上昇させ、支持用外殻体３１の上面と上部室用外殻体３２の下面との間において第４段支持用外殻体３３を構築し、第４段支持用外殻体３３の下部を支持用外殻体３１に結合し、その上部をこれに対して上下方向に移動可能に上部室用外殻体３２を連結する。
次に、アンテナ設置用上側部１２の最上部に設置した既存のアナログ放送用のアンテナ１３３を、アンテナ設置用上側部１２から外して、新規のアンテナ塔の第４段支持用外殻体３３の移設する。
【００１８】
第４段支持用外殻体３３の上側に上記と同様のやり方にて第５段以降の支持用外殻体を継ぎ足して、図６に示す所望の高さの上部外殻塔体３０を構築する。
なお、最後の段の支持用外殻体の上部は上部室用外殻体３２に適宜の連結手段を用いて固定的に連結する。
それから、上部外殻塔体３０の上部室用外殻体３２上に、例えば、鉄骨造にて、円錐状の塔状体４０を鉛直に構築する。この塔状体４０に上下方向及び周方向に間隔をおいて新規の複数のデジタル放送用のアンテナ１３Ａ，１３Ｂ，１３Ｃを設置する。
【００１９】
上記実施例においては、上部外殻塔体３０の構築に当たり、第３段外殻体の支持用外殻体３１と上部室用外殻体３２との間において、第４段支持用外殻体３３を構築してこれを支持用外殻体３１を継ぎ足し、第４段支持用外殻体３３と上部室用外殻体３２との間において第５段支持用外殻体３４を構築して第４段支持用外殻体３３に継ぎ足し、同様のやり方にて第５段以降の支持用外殻体を継ぎ足して、所望の高さの上部外殻塔体３０を構築しているが、第３段外殻体として、下部室用外殻体２２上にこれに対して上下方向にのみ移動可能にした支持用外殻体とこの上部に結合した上部室用外殻体３２を構築し、適宜の押上手段等を用いて第３段外殻体の支持用外殻体の下端を押し上げ、第３段外殻体の支持用外殻体の下端に第４段支持用外殻体を継ぎ足し、同様のやり方にて第４段支持用外殻体の下端に第５段以降の支持用外殻体を継ぎ足して、所望の高さの上部外殻塔体３０を構築するようにしてもよい。
なお、後者のようにすると、アンテナ設置用上側部１２の中間に設置したアンテナ１３２が新規のアンテナ塔１００の上部外殻体３０の第３段外殻体の上部室用外殻体３２のすぐ下の支持用外殻体に設置され、最上部のアンテナ１３３が新規のアンテナ塔１００の上部室用外殻体３２の二段下の第４段支持用外殻体に設置されることになり、既存のアンテナ１３２，１３３を新規のアンテナ塔１００に移設すると、既存のアンテナ１３２，１３３の新規のアンテナ塔１００への設置高さが変化することになる。
【００２０】
上記実施例における支持用外殻体２１，２３，３１，３３，３４・・は、縦方向に延びる縦材、横方向に延びる横材、斜め方向に延びる斜材等の結合により構成し、下部室用外殻体２２及び上部室用外殻体３２は、縦方向に延びる縦材、横方向に延びる横材、斜め方向に延びる斜材、水平方向に延びる床材等の結合により構成する。支持用外殻体２１，２３，３１，３３，３４・・、下部室用外殻体２２及び上部室用外殻体３２は、鉄骨造、鉄骨鉄筋コンクリート造、鉄筋コンクリート造、又はそれらの組合せ造にて構築する。
【００２１】
上記実施例では、新規の塔の構築中の既存のアンテナ塔が不要になった時点又は新規の塔の完成後に、既存のアンテナ塔を外殻体内において解体して撤去する。
既存のアナログ放送用のアンテナ１３１〜１３３は、アナログ放送が行われなくなったら、これらのアナログ放送用のアンテナを撤去し、そこにデジタル放送用のアンテナを設置する。
【００２２】
【発明の効果】
この発明は、特許請求の範囲の各請求項に記載した構成を備えることにより、次の（イ）及び（ロ）の効果を奏する。
（イ）請求項１に係る発明の塔の改築方法は、新規の塔の外殻体を既存の塔を取り囲むように幾段にも分けて順次構築し、建造中の前記外殻体の上部を既存の塔に設置した複数のアナログ放送用のアンテナの移設に適した高さに到達させた複数の段階において、既存のアナログ放送用のアンテナを構築中の外殻体に順次移設し、所定の高さの外殻体を構築してから、外殻体の上端に錐状又は柱状の塔状体を構築し、前記塔状体に新規のデジタル放送用のアンテナを設置するとともに、新規の塔の構築中に既存の塔が不要になった時点又は新規の塔の完成後に、既存の塔を解体して撤去する塔の改築方法において、第１段外殻体を既存の塔に設置した最下段のアナログ放送用のアンテナの設置部より所定の高さだけ低い高さに到達するまで構築した後、既存の塔のアナログ放送用のアンテナの設置部より下方の部分を構築した第１段外殻体の上部に連結して、既存の塔をその第１段外殻体に連結した部分よりも下方の部分で切断して分離し、第１段外殻体を所定の高さだけ上昇させて該外殻体に連結した既存の塔の既存のアナログ放送用のアンテナの設置部を所定の高さだけ上昇させ、第１段外殻体の下端に第２段外殻体を継ぎ足し、第２段外殻体の下部を新設の基礎に連結し、既存の塔の最下段の既存のアナログ放送用のアンテナを該アンテナの改築前の設置高さと略同高の第１段外殻体の部分に移設し、次ぎに第１段外殻体上に、既存の塔の未移設の既存のアナログ放送用のアンテナの設置部の下方の部分を取り囲むように、所定の高さの第３段外殻体を構築し、この第３段外殻体に既存の塔の既存のアナログ放送用のアンテナの最下段のものより一つ上の段の既存のアナログ放送用のアンテナを該アンテナの改築前の設置高さと略同高の第３段外殻体の部分に移設し、第３段外殻体の上端に上記と同様のやり方にて第４段以降の外殻体を順次構築し、かつ既存の塔の未移設の既存のアナログ放送用のアンテナを該アンテナの改築前の設置高さと略同高の第４段以降の外殻体の部分に移設し、既存の塔に未移設のアナログ放送用のアンテナがある段階においては、前記の取り囲むように構築する新規の塔の最も上の外殻体の高さを、前記未移設の既存のアナログ放送用のアンテナにより送受信される電波を妨害しない高さにしなから、外殻体を所望の高さに構築した後、この外殻体上に錐状又は柱状の塔状体を構築し、前記塔状体に新規のデジタル放送用のアンテナを設置するから、次ぎの（１）〜（６）の効果を奏する。
（１）既存の塔を取り囲むように新規の塔の外殻体を構築するから、既存の塔の耐久性、構造性能等にかかわりなく、新規の塔を構築できるだけでなく、既存の塔の周囲に少々の敷地があれば、新たな敷地の取得を必要としない。
（２）既存の塔に設置した既存のアナログ放送用のアンテナを新規のデジタル放送用のアンテナ塔の建築中に新規の塔の部分に順次必要な間隔を保って設置することができるから、既存のアナログ放送用のアンテナ及び新規のデジタル放送用のアンテナに電波障害が生じない。
（３）既存の放送用の塔を、既存のアナログ放送用のアンテナによる放送を中断することなく、既存のアナログ放送用のアンテナ及び新規のデジタル放送用のアンテナを設置する新規のアンテナ塔に容易に改築することができる。
【００２３】
（４）既存の塔を取り囲むように新規の塔の外殻体を構築してアンテナ塔を改築するから、改築前に現存する一般建物による電波障害地域と異なる新たな地域で電波障害対策を探る必要がない。
（５）既存のアナログ放送用のアンテナによる放送が中止された後は、既存のアナログ放送用のアンテナが設置されていた新規の塔のアンテナの設置部に新規のデジタル放送用のアンテナを設置することができる。
【００２４】
（６）既存の塔の既存のアナログ放送用のアンテナの設置部より下方の部分を第１段外殻体に連結させた状態にして、既存の塔を既存のアナログ放送用のアンテナの設置部の下方の部分とそのさらに下方の部分とに分離して、第１段外殻体を上昇させ、第１段外殻体の下部に第２段支持用外殻体を継ぎ足して、既存の塔の既存のアナログ放送用のアンテナの設置部を一段高い位置に支持しておいて、既存のアナログ放送用のアンテナを、この上昇させる前の既存の塔への既存のアナログ放送用のアンテナの設置高さと略同じ高さの構築中の新規の塔の外殻体へ移設するため、構築中の新規の塔の外殻体が既存のアナログ放送用のアンテナから発信される電波の障害になることなく、既存のアナログ放送用のアンテナを構築中の新規の塔の外殻体に容易に移設することができる。
【００２５】
（ロ）請求項２に係る発明の塔の増築方法のようにすると、前記の（１）〜（６）の効果と同様の効果を奏し得るだけでなく、次ぎの（７）〜（９）の効果を奏する。
（７）第１段外殻体の上側に下部室用外殻体があるため、既存の塔の既存のアナログ放送用のアンテナの設置部より下方の部分を構築した第１段外殻体へ連結する作業が容易になり、かつ既存の塔の分離後の既存の塔の上側の既存のアナログ放送用のアンテナの設置部をその上昇位置に確実に支持しておくことができる。
【００２６】
（８）下部室用外殻体を既存のアナログ放送用のアンテナによるアナログ送信のための送信設備の設置場所として、また上部室用外殻体を新規のデジタル放送用のアンテナによるデジタル送信のための送信設備の設置場所として利用することができる。
（９）上部に下部室用外殻体があるため、第１段外殻体上への第３段外殻体の構築が容易になり、また、外殻体の上部に上部室用外殻体があるため、上部室用外殻体上への錐状又は柱状の塔状体を構築が容易になる。
【図面の簡単な説明】
【図１】  実施例における既存のアンテナ塔を概略的に示す立面図
【図２】  実施例の既存のアンテナ塔の周囲に新規のアンテナ塔の第１段外殻体を構築し、その第１段外殻体の下側室用外殻体に既存のアンテナ塔の上側の部分を固着した状態を概略的に示す立面図
【図３】  実施例の新規のアンテナ塔の第１段外殻体の下に第２段外殻体を継ぎ足して、下部外殻塔体を完成した状態を概略的に示す立面図
【図４】  実施例の既存のアンテナ塔を最下部の既存のアナログ放送用のアンテナを、新規のアンテナ塔の下部外殻塔体に移設した状態を概略的に示す立面図
【図５】  実施例の新規のアンテナ塔の第１段外殻体の下側室用外殻体上の既存のアンテナ塔の周囲に支持用外殻体と上部室用外殻体からなる第３段外殻塔体を構築し、既存のアンテナ塔の既存のアナログ放送用のアンテナを、新規のアンテナ塔の第３段外殻塔体の支持用外殻体に移設した状態を概略的に示す立面図
【図６】  実施例の新規のアンテナ塔の第３段外殻体の支持用外殻体と上部室用外殻体との間に第４段支持用外殻体を継ぎ足し、既存のアンテナ塔の既存のアナログ放送用のアンテナを新規のアンテナ塔の第４段支持用外殻体に移設し、第３段外殻体の上部室用外殻体と第４段支持用外殻体との間に第５段以降の支持用外殻体を継ぎ足し、上部外殻塔体を所望の高さにした状態を概略的に示す立面図
【図７】  実施例の上部外殻塔体の上部室用外殻体上に塔状体を構築し、その塔状体に複数の新規のデジタル放送用のアンテナを設置した状態を概略的に示す立面図
【図８】  実施例の新規のアンテナ塔内の既存のアンテナ塔を解体して撤去した状態を概略的に示す立面図
【符号の説明】
１０  既存のアンテナ塔
１１  支持用下側部
１２  アンテナ設置用上側部
１３１〜１３３  既存のアナログ放送用のアンテナ
１３Ａ〜１３Ｄ  新規のデジタル放送用のアンテナ
２０  下部外殻塔体
２０Ａ  第１段外殻体
２１  支持用外殻体
２２  下部室用外殻体
２３  第２段支持用外殻体
３０  上部外殻塔体
３０Ａ  第３段外殻体
３１  支持用外殻体
３２  上部室用外殻体
３３  第４段支持用外殻体
３４  第５段支持用外殻体
４０  塔状体
１００  新規のアンテナ塔
【図１】
0003811882.tif 000002
【図２】
0003811882.tif 000003
【図３】
0003811882.tif 000004
【図４】
0003811882.tif 000005
【図５】
0003811882.tif 000006
【図６】
0003811882.tif 000007
【図７】
0003811882.tif 000008
【図８】
0003811882.tif 000009